(57)【要約】【課題】磁気ヘッド表面の付着物を簡易な構成により除去する。【解決手段】磁気ヘッドと、前記磁気ヘッドと対向する側に設けられるガイド部材と、を備え、前記磁気ヘッドは、前記ガイド部材のガイド面を摺動して磁気ストライプを有する媒体の処理位置と初期位置の間を移動し、前記ガイド面は、前記磁気ヘッドの移動経路上に前記磁気ヘッドの付着物を除去する清掃領域を有する、媒体処理装置。【選択図】図６
2013178864.tif 000002
【特許請求の範囲】
【請求項１】
磁気ヘッドと、
前記磁気ヘッドと対向する側に設けられるガイド部材と、
を備え、
前記磁気ヘッドは、前記ガイド部材のガイド面を摺動して磁気ストライプを有する媒体の処理位置と初期位置の間を移動し、
前記ガイド面は、前記磁気ヘッドの移動経路上に前記磁気ヘッドの付着物を除去する清掃領域を有する、媒体処理装置。
【請求項２】
前記清掃領域は、前記ガイド面に設けられた凹部または凸部の少なくともいずれかである、請求項１に記載の媒体処理装置。
【請求項３】
前記清掃領域は、前記磁気ヘッドの移動方向と直交する方向に沿って形成される１または２以上の溝である、請求項２に記載の媒体処理装置。
【請求項４】
前記１または２以上の溝は、前記ガイド面の垂直方向に対して傾斜して形成される、請求項３に記載の媒体処理装置。
【請求項５】
前記磁気ヘッドを前記ガイド面に付勢する付勢部材をさらに備える、請求項１〜４のいずれか一項に記載の媒体処理装置。
【発明の詳細な説明】
【技術分野】
【０００１】
本発明は、媒体処理装置に関する。
【背景技術】
【０００２】
近日、金融機関で使用される通帳のような冊子状媒体や、単紙などの多種多様な媒体に対して、顧客の情報を磁気的に記録するための磁気ストライプが設けられている。また、このような媒体に印刷を行うと共に、磁気ストライプからのデータの読出し／磁気ストライプへのデータの書き込みなどの磁気処理を行う媒体処理装置も普及している。
【０００３】
磁気ストライプへの磁気処理は、磁気ヘッドにより実現される。磁気ヘッドは、媒体が媒体処理装置に挿入されると、初期位置からガイド面を摺動しながら媒体の磁気ストライプ上に移動する。そして、磁気ヘッドが磁気ストライプに当接した状態で磁気ストライプのデータ書き込み方向／読出し方向に移動することにより、媒体に設けられた磁気ストライプの規定箇所で磁気処理を行うことが可能である。なお、このような磁気処理については例えば特許文献１に開示されている。
【先行技術文献】
【特許文献】
【０００４】
【特許文献１】特開２０１０−２１１９０１号公報
【発明の概要】
【発明が解決しようとする課題】
【０００５】
しかし、磁気ヘッドの移動経路上のガイド面や、磁気ストライプ上に付着している紙粉のような異物、汚れが磁気ヘッドの移動に伴い磁気ヘッドの表面に付着する場合があった。磁気ヘッドの表面に異物が付着すると、磁気ヘッドと磁気ストライプの間にスペースが生じてしまうので、磁気処理を行う際に正確に書き込み／読出しができないといった悪影響を受けてしまうという問題があった。
【０００６】
この問題に関し、磁気ヘッドのガイド面上に例えば繊維性のクリーニング部材を追加的に設けることも考えられるが、新たな部材の追加は、装置の構成や製造工程の簡素化の観点から望ましくない。
【０００７】
そこで、本発明は、上記問題に鑑みてなされたものであり、本発明の目的とするところは、磁気ヘッド表面の付着物を簡易な構成により除去することが可能な、新規かつ改良された媒体処理装置を提供することにある。
【課題を解決するための手段】
【０００８】
上記課題を解決するために、本発明のある観点によれば、磁気ヘッドと、前記磁気ヘッドと対向する側に設けられるガイド部材と、を備え、前記磁気ヘッドは、前記ガイド部材のガイド面を摺動して磁気ストライプを有する媒体の処理位置と初期位置の間を移動し、前記ガイド面は、前記磁気ヘッドの移動経路上に前記磁気ヘッドの付着物を除去する清掃領域を有する、媒体処理装置が提供される。
【０００９】
前記清掃領域は、前記ガイド面に設けられた凹部または凸部の少なくともいずれかであってもよい。
【００１０】
前記清掃領域は、前記磁気ヘッドの移動方向と直交する方向に沿って形成される１または２以上の溝であってもよい。
【００１１】
前記１または２以上の溝は、前記ガイド面の垂直方向に対して傾斜して形成されてもよい。
【００１２】
前記磁気ヘッドを前記ガイド面に付勢する付勢部材をさらに備えてもよい。
【発明の効果】
【００１３】
以上説明したように本発明によれば、磁気ヘッド表面の付着物を簡易な構成により除去することが可能である。
【図面の簡単な説明】
【００１４】
【図１】本発明の実施形態による媒体処理装置の構成を模式的に示した説明図である。
【図２】本実施形態による磁気ヘッドの基本動作を示した説明図である。
【図３】本実施形態の比較例による媒体処理装置の動作を示した説明図である。
【図４】スペーシングを示した説明図である。
【図５】スペーシングとスペーシングロスの関係を示した説明図である。
【図６】本実施形態によるＭＳガイドの構成を示した説明図である。
【図７】本実施形態による磁気ヘッドの動作を示した説明図である。
【図８】本実施形態による磁気ヘッドの動作を示した説明図である。
【図９】第１の変形例によるスクレーパ領域を示した説明図である。
【図１０】第２の変形例によるスクレーパ領域を示した説明図である。
【図１１】第３の変形例によるスクレーパ領域を示した説明図である。
【発明を実施するための形態】
【００１５】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１７】
＜１．媒体処理装置の基本構成＞
本発明は、一例として以下に詳細に説明するように、多様な形態で実施され得る。また、磁気処理機能を有する本発明の実施形態による媒体処理装置１は、
Ａ．磁気ヘッド（４０）と、
Ｂ．前記磁気ヘッドと対向する側に設けられるガイド部材（ＭＳガイド５０）と、
を備え、
Ｃ．前記磁気ヘッドは、前記ガイド部材のガイド面を摺動して磁気ストライプを有する媒体の処理位置と初期位置の間を移動し、
Ｄ．前記ガイド面は、前記磁気ヘッドの移動経路上に前記磁気ヘッドの付着物を除去する清掃領域を有する。
【００１８】
以下、このような本発明の実施形態による媒体処理装置１の基本構成について図１を参照して説明する。
【００１９】
図１は、本発明の実施形態による媒体処理装置１の構成を模式的に示した説明図である。図１に示したように、本発明の実施形態による媒体処理装置１は、ステージ１０と、搬送ローラ１２と、搬送路１４と、印刷部２０と、プラテン３０と、磁気ヘッド４０と、ＭＳ（Ｍａｇｎｅｔｉｃ  Ｓｔｒｉｐｅ）ガイド５０と、を備える。
【００２０】
ステージ１０は、媒体処理装置１の前面に取り付けられ、媒体８が挿入および排出される挿入排出口を有する。なお、媒体８は、１枚の紙状媒体であってもよいし、磁気ストライプが形成された通帳などの冊子状媒体であってもよい。媒体８は、搬送ローラ１２によって挿入排出口から吸引され、搬送路１４上を搬送される。
【００２１】
搬送路１４上の一部には、磁気ヘッド４０を通帳などに当接させるための図示しない開口部が設けられている。この開口部を介して磁気ヘッド４０は通帳などに形成された磁気ストライプからのデータの読出し、および磁気ストライプへのデータの書き込みなどの磁気処理を行う。例えば、磁気ヘッド４０は、磁気ストライプから通帳の発光元情報、顧客情報、および印字済みエリアなどのデータを読み出す。また、磁気ヘッド４０は、印刷部２０により印刷が行われた場合、印字済みエリアを更新するための書き込みを行う。なお、この磁気ヘッド４０は、ＭＳガイド５０を摺動して、初期位置と磁気ストライプの処理位置との間を移動する。
【００２２】
印刷部２０は、印刷ヘッド、印刷ヘッドを搭載するキャリッジ、キャリッジの往復移動を案内するガイド軸、インクリボン（印刷用リボン）、およびリボン巻取り機構などを有する。このような印刷部２０においては、キャリッジがガイド軸上を往復運動しながら、印刷ヘッドがリボン巻取り機構により巻き取られるインクリボンを介して媒体８に印刷を行うことができる。
【００２３】
プラテン３０は、印刷部２０の印刷面に対向する側に、印刷ヘッドの移動方向に沿って設けられる。このプラテン３０は、挿入排出口から搬送される媒体８を支持する役割を担う。なお、プラテン３０は、付勢部材の一例であるスプリングにより、印刷部２０側に付勢される。
【００２４】
このような媒体処理装置１は、例えば接続ケーブルを介して接続される制御用ＰＣ（Ｐｅｒｓｏｎａｌ  Ｃｏｍｐｕｔｅｒ）において実行される制御コマンドに従って各種の動作を実行する。
【００２５】
＜２．磁気ヘッドの基本動作＞
以上、図１を参照し、本発明の実施形態による媒体処理装置１の基本構成を説明した。本発明の実施形態は、上述した媒体処理装置１のうちで、特に磁気ヘッド４０の動作に関する。そこで、以下、磁気ヘッド４０の基本動作について図２を参照して説明する。なお、以下では、媒体の一例である通帳に符号８を付して説明を進める。
【００２６】
図２は、本実施形態による磁気ヘッド４０の基本動作を示した説明図である。まず、媒体処理装置１に磁気ストライプ９が形成された通帳８が挿入されると、通帳８は、搬送ローラ１２および位置管理センサにより磁気データ書き込み／読出し開始位置まで搬送される。そして、通帳８の移動が磁気データ書き込み／読出し開始位置にて停止すると、図２（Ａ）に示したように初期位置で待機していた磁気ヘッド４０は、図２（Ｂ）に示したように、通帳８に向けて移動を開始する。
【００２７】
なお、磁気ヘッド４０は、磁気ヘッドホルダ４２に保持されており、磁気ヘッドホルダ４２に保持されるプレスばね４４により、ＭＳガイド５０に押し当てられた状態でＭＳガイド５０を摺動しながら移動する。
【００２８】
そして、磁気ヘッド４０は、移動の過程で、図２（Ｃ）に示したように通帳８に乗り上げる。この時、磁気ヘッドホルダ４２は上下に移動せず、プレスばね４４が縮むことにより磁気ヘッド４０のみが通帳８の厚み分だけ上下に移動する。
【００２９】
さらに、磁気ヘッド４０が移動を続け、図２（Ｄ）に示したように磁気ヘッド４０が通帳８の端に達すると、磁気ヘッド４０の移動が停止する。その後、図２（Ｅ）に示したように、図示しない駆動モーターにより磁気ヘッド４０が初期位置に戻る方向に移動し、磁気データ書き込み／読出しが完了する。
【００３０】
（背景）
しかし、本実施形態の比較例による媒体処理装置では、上記のような磁気ヘッドの動作過程において、磁気ヘッドの移動経路上のガイド面や磁気ストライプ上に付着している紙粉のような異物、汚れが磁気ヘッドの表面に付着する場合があった。以下、この点について図３を参照して具体的に説明する。
【００３１】
図３は、本実施形態の比較例による媒体処理装置の動作を示した説明図である。図３（Ｆ）に示したように、ＭＳガイド８０や通帳８に異物９２が付着している場合、磁気ヘッドホルダ７２にプレスばね７４を介して保持される磁気ヘッド７０の表面には、図３（Ｇ）に示したように磁気ヘッド７０の移動の過程で異物９２が付着してしまう。磁気ヘッド７０に付着したこの異物は、磁気ヘッド７０が初期位置に戻っても図３（Ｈ）に示したように残ってしまう。
【００３２】
このように、磁気ヘッド７０の表面に異物９２が付着した状態では、図４に示したように、磁気ヘッド７０と磁気ストライプ９の間に隙間、すなわちスペーシングが生じてしまう。スペーシングが発生すると、図５に示したように、スペーシングの大きさに応じたスペーシングロス（磁気損失）が発生してしまう。
【００３３】
そこで、上記事情を一着眼点にして本実施形態による媒体処理装置１を創作するに至った。本実施形態による媒体処理装置１は、磁気ヘッド４０表面の付着物を簡易な構成により除去することが可能である。以下、このような本実施形態の構成について詳細に説明する。
【００３４】
＜３．本実施形態によるＭＳガイドの構成＞
図６は、本実施形態によるＭＳガイド５０の構成を示した説明図である。図６に示したように、本実施形態によるＭＳガイド５０は、磁気ヘッド４０の移動経路上のガイド面に、磁気ヘッド４０の表面の付着物を除去するためのスクレーパ領域（清掃領域）５２を有する。
【００３５】
このスクレーパ領域５２は、一例として図６に示したように、磁気ヘッド４０の移動方向と直交する方向に沿って形成される複数の溝である。かかる構成により、磁気ヘッド４０がスクレーパ領域５２を通過する際に、溝の縁のエッジ効果により磁気ヘッド４０の表面に付着した異物や汚れを削ぎ取ることが可能である。以下、図７および図８を参照し、具体的に説明する。
【００３６】
図７および図８は、本実施形態による磁気ヘッド４０の動作を示した説明図である。図７に示したように、異物９２が付着した磁気ヘッド４０がスクレーパ領域５２を通過する際、図８に示したように異物９２がスクレーパ領域５２により除去され、かつ、異物９２がスクレーパ領域５２の溝に残る。このため、磁気ヘッド４０が再度スクレーパ領域５２を通過する際に異物９２が磁気ヘッド４０に付着してしまうことも防止できる。
【００３７】
なお、スクレーパ領域５２は、多様な方法により形成することが可能である。例えば、ＭＳガイド５０を製造する型に、磁気ヘッド４０の移動方向と直交する方向に沿った凸領域を形成すれば、当該型を用いてスクレーパ領域５２を有するＭＳガイド５０を製造することが可能である。または、ＭＳガイド５０の切削によりスクレーパ領域５２を形成することも可能である。また、スクレーパ領域５２は、ＭＳガイド５０に対して着脱可能に形成されてもよい。
【００３８】
＜４．変形例＞
なお、上記ではスクレーパ領域５２の一例として図６〜図８に示したような溝を説明したが、スクレーパ領域５２の形態はかかる例に限定されない。以下、スクレーパ領域５２の幾つかの変形例を説明する。
【００３９】
（第１の変形例）
図９は、第１の変形例によるスクレーパ領域５３を示した説明図である。図９に示したように、第１の変形例によるスクレーパ領域５３を構成する各溝の頂部５４は、溝の中央よりも磁気ヘッド４０の初期位置側に寄っていてもよい。かかる構成により、各溝の磁気ヘッド４０の初期位置側の縁５５のエッジ効果が高まるので、磁気ヘッド４０に付着した異物をより確実に除去することが可能となる。
【００４０】
なお、図９においては、スクレーパ領域５３を構成する各溝の頂部５４が磁気ヘッド４０の初期位置側である例を示したが、スクレーパ領域５３を構成する各溝の頂部５４は、磁気ヘッド４０の磁気処理位置側であってもよい。
【００４１】
（第２の変形例）
図１０は、第２の変形例によるスクレーパ領域５６を示した説明図である。図１０に示したように、第２の変形例によるスクレーパ領域５６を構成する各溝は、ＭＳガイド５０のガイド面の垂直方向に対して傾斜して形成されてもよい。かかる構成によれば、各溝の磁気ヘッド４０の初期位置側の縁５５が鋭角になるので、エッジ効果をさらに向上することができる。また、異物の収納空間５７が形成されるので、より多くの異物をスクレーパ領域５６にためることが可能となる。
【００４２】
（第３の変形例）
図１１は、第３の変形例によるスクレーパ領域５８を示した説明図である。図１１に示したように、第３の変形例によるスクレーパ領域５８は、磁気ヘッド４０の移動方向と直交する方向に沿って形成される複数の凸領域である。このようなスクレーパ領域５８を磁気ヘッド４０が通過する際、磁気ヘッド４０が下がるので、プレスばね４４の付勢によりスクレーパ領域５８に対する磁気ヘッド４０の圧力は増加する。このため、第３の変形例によれば、磁気ヘッド４０の付着物の除去効果を増加させることが可能である。
【００４３】
（補足）
その他、複数の凹部、複数凸部、またはこれらの組合せによりスクレーパ領域を形成してもよい。また、ＭＳガイド５０のガイド面を粗面加工することによりスクレーパ領域を形成することも可能である。
【００４４】
＜５．むすび＞
以上説明したように、本実施形態によれば、磁気ヘッド４０がスクレーパ領域を通過する際、異物をスクレーパ領域５２により除去することが可能である。このため、保守員による清掃などの清掃復旧作業を行うことなく、データ書き込み／読出し性能を維持することが可能である。さらに、本実施形態によれば、このようなスクレーパ領域をＭＳガイド５０の一領域に形成できるので、構成の簡素化を図ることができる。
【００４５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４６】
例えば、上記実施形態では磁気処理の対象として通帳８に形成された磁気ストライプを説明したが、磁気処理の対象は通帳８のような冊子状媒体に限られず、磁気処理の対象はカードや単紙媒体であってもよい。
【符号の説明】
【００４７】
１  媒体処理装置
８  媒体（通帳）
９  磁気ストライプ
１０  ステージ
１２  搬送ローラ
１４  搬送路
２０  印刷部
３０  プラテン
４０  磁気ヘッド
４２  磁気ヘッドホルダ
４４  プレスばね
５０  ＭＳガイド
５２、５３、５６、５８  スクレーパ領域
【図１】
2013178864.tif 000003
【図２】
2013178864.tif 000004
【図３】
2013178864.tif 000005
【図４】
2013178864.tif 000006
【図５】
2013178864.tif 000007
【図６】
2013178864.tif 000008
【図７】
2013178864.tif 000009
【図８】
2013178864.tif 000010
【図９】
2013178864.tif 000011
【図１０】
2013178864.tif 000012
【図１１】
2013178864.tif 000013